【事件の表示】
　特許第３１２５０８６号「プリンタ装置のリカバリ方法及びこれを使用するプリンタ装置」の請求項１ないし３に係る特許に対する特許異議の申立てについて、次のとおり決定する。
【結　論】
　特許第３１２５０８６号の請求項１ないし３に係る特許を取り消す。
【理　由】
１．手続の経緯の概要
　本件特許第３１２５０８６号発明は、平成６年１２月２６日に特許出願され、平成１２年１１月２日に設定登録（平成１３年１月１５日特許公報発行）がなされ、その後、平成１３年７月１６日付けで渡部廣美より特許異議の申立てがなされ、取消理由の通知がなされ、その指定期間内である平成１３年１２月１０日に意見書が提出されたものである。
　
２．特許異議の申立ての概要
　申立人渡部廣美は、甲第１号証〜甲第３号証を提出して、概略「本件請求項１〜３に係る特許発明の各々は、甲第１号証及び甲第２号証に記載された発明に基づいて、当業者が容易になし得た発明であるから、特許法第２９条第２項の規定により特許を受けることができないものであり、従って、本件請求項１〜３に係る特許発明は同法第１１３条第１項第２号の規定により取り消すべきものである。」旨主張している。
　〈証拠方法〉
　甲第１号証；特開平６−１２７０８７号公報
　甲第２号証；特開平５−３４５４４９号公報
　甲第３号証；特開平３−２２４７７８号公報
　
３．特許異議の申立てについての判断
　（１）本件特許発明１〜３
　本件特許第３１２５０８６号の請求項１〜３に係る発明（以下、「本件特許発明１」〜「本件特許発明３」という。）は、特許明細書の特許請求の範囲の請求項１〜３に記載された事項により特定される下記のとおりのものである。
　「【請求項１】印刷すべき印刷情報を記憶する手段及び印刷済みの印刷用紙を排出する複数のビンを備え、印刷済みの印刷用紙の排出に基づき印刷情報の記憶領域を解放するプリンタ装置により、複数の印刷情報源から入力された夫々の印刷情報を印刷済みの印刷用紙の排出を待たずに次の印刷用紙に印刷しつつ複数のビンを使用して印刷情報源別に仕分けして排出する場合に用紙詰まりが生じたとき、印刷を一時中断して用紙詰まりの原因を取り除いた後に印刷を再開するリカバリ方法であって、
　印刷用紙がビンへ排出されたことを検出し、
　前記印刷用紙が排出されたビンを判定し、
　判定の結果を複数の印刷用紙に対応させた複数の用紙状態レジスタの前記印刷用紙に対応する用紙状態レジスタに記憶し、
　前記複数の用紙状態レジスタの記憶内容に基づいて印刷済みの印刷用紙に対応する印刷情報の記憶領域を、該印刷情報に含まれる文字パターンを共用する印刷用紙の全てが排出されていることを条件として解放する
　ことを特徴とするリカバリ方法。
　【請求項２】印刷すべき印刷情報を記憶する手段及び印刷済みの印刷用紙を排出する複数のビンと印刷情報の記憶領域を解放する手段とを備え、複数の印刷情報源から入力された夫々の印刷情報を、印刷済みの印刷用紙の排出を待たずに次の印刷用紙に印刷を行ない、複数のビンを使用して印刷情報源別に仕分けして排出する場合に用紙詰まりが生じたとき、印刷を一時中断して用紙詰まりの原因を取り除いた後に印刷を再開するリカバリを行なうプリンタ装置において、
　夫々のビンに対応して設置されており、各ビンへの印刷用紙の排出を検出して用紙排出信号を出力するセンサと、
　前記用紙排出信号から前記印刷用紙を排出したビンを判定する第１用紙排出判定手段と、
　複数の印刷用紙に対応させて前記第１用紙排出判定手段の判定結果を記憶する複数の用紙状態レジスタと、
　該用紙状態レジスタの記憶内容に基づいて印刷済みの印刷用紙に対応する印刷情報の記憶領域を、該印刷情報に含まれる文字パターンを共用する印刷用紙の全てが排出されていることを条件として解放する制御手段と
　を備えることを特徴とするプリンタ装置。
　【請求項３】印刷すべき印刷情報を記憶する手段及び印刷済みの印刷用紙を排出する複数のビンと印刷情報の記憶領域を解放する手段とを備え、複数の印刷情報源から入力された夫々の印刷情報を、印刷済みの印刷用紙の排出を待たずに次の印刷用紙に印刷を行ない、複数のビンを使用して印刷情報源別に仕分けして排出する場合に用紙詰まりが生じたとき、印刷を一時中断して用紙詰まりの原因を取り除いた後に印刷を再開するリカバリを行なうプリンタ装置において、
　任意のビンへ排出する印刷用紙が通過する位置に設置されており、印刷用紙の通過を検出して用紙通過信号を出力するセンサと、
　印刷用紙が前記センサの位置を通過した後、各ビンへ排出されるまでに経過する時間と各ビンとを対応させた時間管理テーブルと、
　センサが印刷用紙の通過を検出してから経過した時間を計測するタイマと、
　前記時間管理テーブルに基づき、前記タイマによって計測された時間から印刷用紙がビンへ排出されたか否かを判定する第２用紙排出判定手段と、
　複数の印刷用紙に対応させて前記第２用紙排出判定手段の判定結果を記憶する複数の用紙状態レジスタと、
　該用紙状態レジスタの記憶内容に基づいて印刷済みの印刷用紙に対応する印刷情報の記憶領域を、該印刷情報に含まれる文字パターンを共用する印刷用紙の全てが排出されていることを条件として解放する制御手段と
　を備えることを特徴とするプリンタ装置。」
　
　（２）取消理由に引用した刊行物１〜３の記載事項
　当審が通知した取消理由に引用した刊行物１（特開平６−１２７０８７号公報；申立人渡部廣美の提出した甲第１号証）には、用紙をスタッカに収納するまでその用紙のプリント情報を保持するようにした用紙排出システムに関して、下記の事項１−１〜１−８が図面とともに記載されている。
　１−１；「・・・用紙がスタッカ３３に排出されたならば、イメージ・アウトプット・ターミナル１２はこの排出の事実を該当するスタッカ３３から認識する。・・・」（段落【００１１】）
　１−２；「【発明が解決しようとする課題】このような従来の用紙排出システムでは、システム・ディスク１９の使用領域管理がディスク・シリンダ単位で行われていた。このため、シリンダを単位として開放の要求も行われる取り決めになっており、連続的に搬送路に排出される用紙をトリガとしてシリンダ内の格納内容が順次読み出され、シリンダが切り換わる時点では前のシリンダに書き込まれているプリント・フォーマットも使用が終了したものとされていた。これ故、この時点で使用の終了したシリンダは開放可能となる。このような状況の下で入力データ処理部４１は、システム・ディスク１９内のシリンダを低位のアドレスから順に使用していくことになる。
　したがって、従来の用紙排出システムでは、イメージ・アウトプット・ターミナル１２から用紙のページ番号順に用紙排出情報が通知される必要があった。なぜなら、この順序が狂うと、スタッカ３３にまだ排出されていない用紙のプリント・フォーマットをシステム・ディスクから開放してしまい、異なるシリンダによる異なったプリント・フォーマットを書き込んでしまって不正なプリントを出力するおそれがあったからである。」（段落【００２２】、【００２３】）
　１−３；「・・・スタッカ収納時機個別検出手段が用紙の収納を検出した時点で該当するページについてそれよりも前に搬送路上に送り出された用紙が対応するスタッカに収納されたことを条件としてそのプリント情報をクリアするプリント情報クリア手段とを用紙排出システムに具備させる。」（段落【００２８】）
　１−４；「・・・エレクトリック・サブ・システム５１には、プリント・フォーマットやプリント資源がロードする他、本実施例の用紙排出処理を実現するためのプログラムを格納したシステム・ディスク５３が配置されている。・・・
　ところで、本実施例の用紙排出システムでは、従来行われていたようなホール作成やホールによる用紙搬送の間歇的な中断処理を行わない。また、スタッカ３３で用紙の排出を認識した際に、この排出情報を無条件にエレクトリック・サブ・システム５１側に通知するのではなく、先にフィードした用紙の排出が未了であれば、現在排出した用紙の排出情報を通知することを一旦抑止する。そして、その後に他の用紙が排出されたことによって、先に送り出された用紙すべてが排出されたという条件が成立したときに、それまで抑止していた用紙排出情報と共に、かつ用紙の送り出された番号順にこれらの用紙排出情報をエレクトリック・サブ・システム５１側に通知するようになっている。」（段落【００３５】、【００３６】）
　１−５；段落【００３９】〜【００５４】（具体的記載事項省略）及び図２〜４
　１−６；「この場合、次に該当シリンダは直前に登録したシリンダと同一かどうかのチェックも行う（ステップＳ５０７）。・・・」（段落【００６４】）
　１−７；「・・・この場合、次に該当シリンダは直前登録シリンダと同一かどうかがチェックされる（ステップＳ５１３）。同一でなければ（Ｎ）、直前登録シリンダを開放する。・・・」（段落【００６５】）
　１−８；段落【００６９】〜【００７９】（具体的記載事項省略）及び図７，８
　
　同じく引用した刊行物２（特開平５−３４５４４９号公報；申立人渡部廣美の提出した甲第２号証）には、上位装置から出力される印刷情報を入力して用紙などの記録媒体上に印刷を行うプリンタ装置の印字障害の発生時にプリンタ装置においてリカバリが可能なように印刷情報を管理する方法に関して、下記の事項２−１〜２−５が図面とともに記載されている。
　２−１；「本発明は、印刷障害が発生した場合においても、印刷情報を喪失することなく、プリンタ装置自体でリカバリを行ない得るようにし、上位装置とプリンタ装置との間のインタフェースを簡略化し、合わせて再印刷の開始までの時間を短縮することを可能にすることを目的とする。」（段落【００１４】）
　２−２；「このタイプのページバッファ３３は、印刷済の用紙がスタッカーに排出されることにより印刷が正常に終了するまで、すなわち印刷推進部１６内の印刷終了割込みルーチン６９が当該ページの印刷終了割込みを受けて起動されるまで保存される。」（段落【００４３】）
　２−３；「その後、メモリ管理部１３に対してメモリ解放の同期の為に必要なパルス（メモリ解放同期パルス）を送出し、さらに当該ページで使用したメモリの解放をメモリ管理部１３に対して指示して処理を終了する。」（段落【００５８】）
　２−４；「印刷終了割込みルーチン６９は、印刷機構部１７からの印刷終了にともなう割込みにより起動され、印刷終了待ちキュー６４に接続されている印刷待ちページの１つを印刷待ちキュー６４からはずし、メモリ管理部１３に対してメモリ解放同期パルスを送出する。」（段落【００６５】）
　２−５；「また、データメモリ１２内のデータを消去する契機は、その対象となるデータの種類により様々な契機がある。例えば、特定のページのみ必要なデータはそのページの印刷終了にともなって不用となる。文字パターンなどのように複数のページに跨がったデータは、そのデータを使用する最終のページの印刷終了にともなって不用となる。プリンタ装置１では、これらのデータが内容にしたがって分類され且つ階層化されており、不用となったデータを早期に消去して資源を有効に活用することができる。」（段落【００９２】）
　
　同じく引用した刊行物３（特開平３−２２４７７８号公報；申立人渡部廣美の提出した甲第１号証）には、各種プリンタのページプリンタで発生した紙ジャムエラー等のエラー回復方式に関して、下記の事項３−１〜３−４が図面とともに記載されている。
　３−１；「印刷指示１１９は、印刷処理をプリンタエンジン制御部１０８へ指示し、排紙が終了するまで、用紙の監視を行なう。タイマ制御部１１３は、排紙完了監視タイマ１２０等のタイマ制御を行なう。」（第４頁右上欄１行〜４行）
　３−２；「タイマ制御部１１３は、排紙終了監視タイマ１２０を起動する。プリンタは、印刷したページの排紙を確認せず、印刷速度の効率を上げるために順次印刷を行なう。このため、何枚かの印刷済用紙がプリンタ内に入っているので、印刷から排紙までを１ページごとに確認するためには、複数個の印刷指示１１９、及び排紙終了監視タイマ１２０が必要である。また、複数の印刷指示１１９、排紙終了監視タイマ１２０が同時に動作する必要があるため、マルチタスク構成とする。プリンタエンジン制御部１０８は、プリンタエンジン部１０９に対してドットイメージデータを送信する（２０８）。プリンタエンジン部１０９は、ドットイメージデータを受信すると一連の電子写真印刷メカニズムに従って、印字を行なった後、排紙する。タイマ制御部１１３は、排紙終了監視タイマ１２０に設定した排紙時間の経過後、タイマ制御部１１３が印刷指示１１９に監視時間終了を通知（２３２）する。以上このプリンタエンジン制御部１０８が、前記ドットイメージデータの読み出しを垂直同期信号のアサートによりプリンタエンジン部１０９に指示してからプリンタエンジン部１０９が排紙するまでの時間内に異常がなければ排紙が完了したものとし、排紙が完了したページの印刷ページ通し番号を最新の排紙が完了したページを示す排紙終了ページ番号に設定する。監視時間は、印刷する用紙サイズにより異なり、タイマ制御部１１３に排紙終了監視タイマ１２０の起動を要求する際に設定する。」（第４頁右下欄１８行〜第５頁右上欄５行）
　３−３；「プリンタエンジン制御部１０８に複数の排紙部がサポートされた場合の排紙管理に関するものである。排紙部、紙サイズにより排紙される時間が異なるため、印刷指示を行なった順に排紙がなされず、最新の排紙完了ページよりも前のページ（ページＡと呼ぶ）がプリンタ内の搬送路に残るという状態が発生する。」（第７頁左下欄６行〜１２行）
　３−４；「上記第１実施例、第２実施例、第３実施例、及び第４実施例は、排紙監視処理として排紙終了監視タイマ１２０を用いたが、プリンタエンジン部１０９の排紙部にセンサーを付け、各排紙部の排紙完了の検出をするようにしても良い。」（第８頁右上欄１９行〜左下欄３行）
　
　（３）対比・判断
　【本件特許発明１について】
　刊行物１に記載された上記記載事項１−１〜１−８からみて、刊行物１に記載された発明の「プリント・フォーマットやプリント資源がロードするためのプログラムを格納したシステム・ディスク５３が配置されているエレクトリック・サブ・システム５１」、「スタッカ３３１，３３２」、「スタッカ収納時機個別検出手段が用紙の収納を検出した時点で該当するページについてそれよりも前に搬送路上に送り出された用紙が対応するスタッカに収納されたことを条件としてそのプリント情報をクリアするプリント情報クリア手段」及び「イメージ・アウトプット・ターミナル５２」は、各々本件特許発明１の「印刷すべき印刷情報を記憶する記憶手段」、「印刷済みの印刷用紙を排出する複数のビン」、「印刷済みの印刷用紙の排出に基づき印刷情報の記憶領域を解放するプリンタ装置」及び「印刷用紙がビンへ排出されたことを検出し、印刷用紙が排出されたビンを判定し、判定の結果を複数の印刷用紙に対応させた複数の用紙状態レジスタの前記印刷用紙に対応する用紙状態レジスタに記憶する手段」に相当し、刊行物１に記載された発明の用紙排出システムも、本件特許発明１と同様に、複数の印刷情報源から入力された夫々の印刷情報を印刷済みの用紙の排出を待たずに次の印刷用紙に印刷しつつ複数のスタッカ（ビン）を使用して仕分けして排出する際にジャム（紙詰まり）が発生した場合に再度その情報を使用する（リカバリする）方法であるから、本件特許発明１の用語を使用して本件特許発明１と刊行物１に記載された発明とを対比すると、両者は、「印刷すべき印刷情報を記憶する手段及び印刷済みの印刷用紙を排出する複数のビンを備え、印刷済みの印刷用紙の排出に基づき印刷情報の記憶領域を解放するプリンタ装置により、複数の印刷情報源から入力された夫々の印刷情報を印刷済みの印刷用紙の排出を待たずに次の印刷用紙に印刷しつつ複数のビンを使用して印刷情報源別に仕分けして排出する場合に用紙詰まりが生じたとき、印刷を一時中断して用紙詰まりの原因を取り除いた後に印刷を再開するリカバリ方法であって、印刷用紙がビンへ排出されたことを検出し、前記印刷用紙が排出されたビンを判定し、判定の結果を複数の印刷用紙に対応させた複数の用紙状態レジスタの前記印刷用紙に対応する用紙状態レジスタに記憶し、前記複数の用紙状態レジスタの記憶内容に基づいて印刷済みの印刷用紙に対応する印刷情報の記憶領域を解放するリカバリ方法。」で一致しており、下記の点で相違している。
　相違点；本件特許発明１では、複数の用紙状態レジスタの記憶内容に基づいて印刷済みの印刷用紙に対応する印刷情報の記憶領域を、該印刷情報に含まれる文字パターンを共用する印刷用紙の全てが排出されていることを条件として解放するものであるのに対して、刊行物１に記載された発明では、印字のためのプリント情報（印刷情報）はページ単位毎に記憶されており、該当ページのプリント情報の記憶領域のクリア（解放）は、該当ページよりも前のページの印刷用紙の全てが対応する用紙スタッカに収納されたことを条件として該当ページのプリント情報をクリアするものであるが、本件特許発明１のように複数のページ（印刷用紙）に亘って印刷情報に含まれる文字パターンを共用してはいない点。
　上記相違点について検討するに、刊行物２（記載事項２−１〜２−５参照）には、印刷障害が発生した場合においても、印刷情報を喪失することなく、プリンタ装置自体でリカバリを行い得るようにすること、データメモリ内のデータを消去（解放）する契機は、その対象となるデータの種類により様々な契機があること、及び、特定のページのみに必要なデータと複数のページに跨ったデータとを分類し且つ階層化して記憶し、特定のページのみ必要なデータについては、そのページの印刷終了（排出完了）にともなって消去（解放）し、文字パターンなどのように複数のページに跨ったデータは、そのデータを使用する最終のページの印刷終了（排出完了）にともなって消去（解放）することが記載されている。
　そして、刊行物２のプリンタ装置のように単一スタッカに印刷用紙をページ順に排出するものでは、最終ページが排出されればそれより前の全てのページが既に排出されているとみなすことができるものであるが、刊行物１のプリンタ装置のようにマルチスタッカを利用したものでは、最終ページが対応するスタッカに排出されてもそれよりも前のページは排出を終了していない場合も生じるものである（刊行物１の図２，３と対応する発明の詳細な説明の段落参照）から、文字パターンなどのように複数のページに跨ったデータである共用する印刷情報については、共用する印刷情報で印刷する全てのページ（印刷用紙）の排出が終了するまで記憶領域から消去（解放）せず保持しておかなけれならないことは、当業者であれば自明の事項にすぎないものである。
　そうすると、上記刊行物２に記載されたデータ（印刷情報）の記憶方式を刊行物１に記載されたプリンタ装置に採用して、特定のページのみに必要なデータ（印刷情報）と複数のページに跨ったデータ（共用する印刷情報）とを分類し且つ階層化して記憶すれば、特定のページのみに必要なデータの消去（解放）の契機を該当ページの印刷用紙の排出を条件とし、複数のページで共用する印刷情報の消去の契機を、本件特許発明１のように、その共用する印刷情報を使用する最終ページまでの全ての印刷用紙が排出されたことを条件とすることは、当業者であれば容易に想到することができる程度の事項と認める。
　また、本件特許発明１による効果も、刊行物１及び２に記載された発明から当業者であれば予測することができる程度のものであって、格別のものとはいえない。
　したがって、本件特許発明１は、刊行物１及び２に記載された発明に基づいて当業者が容易に発明をすることができたものと認める。
　ところで、特許権者は、意見書を提出して、概略「刊行物２にはマルチビンスタッカを用いて連続印刷する記載がないため「最終のページの印刷終了」が「全てのページの印刷終了」と同じ意味を持つかもしれませんが、これはあくまでも単一スタッカの構成の連続印刷に限って言えることであり、決して最終ページの印刷終了により前ページの印刷終了が遅れることを示唆しているとは考えられません。」旨主張しているが、刊行物２から引用した技術事項は、印刷障害が発生した場合においても、印刷情報を喪失することなく、プリンタ装置自体でリカバリを行い得るように、特定のページのみで必要なデータ（印刷情報）と文字パターンなどように複数のページに跨ったデータ（共用する印刷情報）とを区別して記憶領域に記憶し、特定のページのみで必要なデータについては、特定のページに対応する印刷用紙が排出されたことを条件に該当データの記憶領域を解放し、複数のページに跨がったデータについては、データを共用する最終のページの印刷終了（刊行物２のような単一スタッカ方式では「全てのページの印刷終了」を意味する。）により共用する印刷情報の記憶領域を解放する点であって、この刊行物２で引用した技術事項は、刊行物１に記載されたようなマルチビンスタッカを用いて連続印刷を行う装置にも採用できることは、当業者であれば容易に理解することができることである。
　そして、刊行物２で引用した技術事項を刊行物１に記載されたようなマルチビンスタッカを用いて連続印刷する装置に採用した際には、特定のページのみで必要な印刷情報については、特定のページの印刷完了（対応するスタッカへの印刷用紙の排出検知）で当該印刷情報の記憶領域を解放し、共用する印刷情報については、共用する印刷情報を使用する最終ページより前の全てのページの印刷終了を条件に共用する印刷情報の記憶領域を解放するように構成することは、当業者であれば容易に想到することができる程度の事項であることは上記したとおりである。
　よって、特許権者の意見書での主張は採用することができない。
　
　【本件特許発明２について】
　刊行物１に記載された上記技術事項１−１〜１−８からみて、刊行物１に記載された発明の「プリント・フォーマットやプリント資源がロードするためのプログラムを格納したシステム・ディスク５３が配置されているエレクトリック・サブ・システム５１」、「スタッカ３３１，３３２」及び「スタッカ収納時機個別検出手段が用紙の収納を検出した時点で該当するページについてそれよりも前に搬送路上に送り出された用紙が対応するスタッカに収納されたことを条件としてそのプリント情報をクリアするプリント情報クリア手段」は、各々本件特許発明２の「印刷すべき印刷情報を記憶する記憶手段」、「印刷済みの印刷用紙を排出する複数のビン」及び「印刷済みの印刷用紙の排出に基づき印刷情報の記憶領域を解放する手段」に相当し、また、刊行物１に記載された「イメージ・アウトプット・ターミナル５２」は、用紙のスタッカへの排出を認識するものであるから、各スタッカには当然用紙の排出を検出する手段（センサ）が設けられており、この検出手段からの情報により用紙を排出したスタッカを認識（判別）し、その結果を記憶するものであるから、刊行物１に記載された「イメージ・アウトプット・ターミナル５２」は、本件特許発明２の「夫々のビンに対応して設置されており、各ビンへの印刷用紙の排出を検出して用紙排出信号を出力するセンサと、前記用紙排出信号から前記印刷用紙を排出したビンを判定する第１用紙排出判定手段と、複数の印刷用紙に対応させて前記第１用紙排出判定手段の判定結果を記憶する複数の用紙状態レジスタ」と同様の機能を具備していることは明らかであるから、本件特許発明２の用語を使用して本件特許発明２と刊行物１に記載された発明とを対比すると、両者は、「印刷すべき印刷情報を記憶する手段及び印刷済みの印刷用紙を排出する複数のビンと印刷情報の記憶領域を解放する手段とを備え、複数の印刷情報源から入力された夫々の印刷情報を、印刷済みの印刷用紙の排出を待たずに次の印刷用紙に印刷を行ない、複数のビンを使用して印刷情報源別に仕分けして排出する場合に用紙詰まりが生じたとき、印刷を一時中断して用紙詰まりの原因を取り除いた後に印刷を再開するリカバリを行なうプリンタ装置において、夫々のビンに対応して設置されており、各ビンへの印刷用紙の排出を検出して用紙排出信号を出力するセンサと、前記用紙排出信号から前記印刷用紙を排出したビンを判定する第１用紙排出判定手段と、複数の印刷用紙に対応させて前記第１用紙排出判定手段の判定結果を記憶する複数の用紙状態レジスタと、該用紙状態レジスタの記憶内容に基づいて印刷済みの印刷用紙に対応する印刷情報の記憶領域を解放する制御手段とを備えたプリンタ装置。」で一致しており、下記の点で相違している。
　相違点；本件特許発明２では、複数の用紙状態レジスタの記憶内容に基づいて印刷済みの印刷用紙に対応する印刷情報の記憶領域を、該印刷情報に含まれる文字パターンを共用する印刷用紙の全てが排出されていることを条件として解放するものであるのに対して、刊行物１に記載された発明では、印字のためのプリント情報はページ単位毎に記憶されており、該当するページについてのプリント情報の記憶領域をそれよりも前に搬送路上に送り出された用紙が対応するスタッカに収納されたことを条件としてそのプリント情報をクリア（解放）するものである点。
　上記相違点について検討するに、刊行物２（記載事項２−１〜２−５参照）には、印刷障害が発生した場合においても、印刷情報を喪失することなく、プリンタ装置自体でリカバリを行い得るようにすること、データメモリ内のデータを消去（解放）する契機は、その対象となるデータの種類により様々な契機があること、及び、特定のページのみに必要なデータと複数のページに跨ったデータとを分類し且つ階層化して記憶し、特定のページのみ必要なデータについては、そのページの印刷終了（排出完了）にともなって消去（解放）し、文字パターンなどのように複数のページに跨ったデータは、そのデータを使用する最終のページの印刷終了（排出完了）にともなって消去（解放）することが記載されている。
　そして、刊行物２のプリンタ装置のように単一スタッカに印刷用紙をページ順に排出するものでは、最終ページが排出されればそれより前の全てのページが既に排出されているとみなすことができるものであるが、刊行物１のプリンタ装置のようにマルチスタッカを利用したものでは、最終ページが対応するスタッカに排出されてもそれよりも前のページは排出を終了していない場合も生じるものである（刊行物１の図２，３と対応する発明の詳細な説明の段落参照）から、文字パターンなどのように複数のページに跨ったデータである共用する印刷情報については、共用する印刷情報で印刷する全てのページ（印刷用紙）の排出が終了するまで記憶領域から解放せず保持しておかなければならないことは、当業者であれば自明の事項にすぎないものである。
　そうすると、上記刊行物２に記載された印刷情報の記憶方式を刊行物１に記載されたプリンタ装置に採用して、特定のページのみに必要なデータ（印刷情報）と複数のページに跨ったデータ（共用する印刷情報）とを分類し且つ階層化して記憶するようにすれば、特定のページのみに必要なデータについては該当ページの印刷用紙の排出を条件として該データの記憶領域を解放し、複数のページで共用する印刷情報については、本件特許発明２のように該印刷情報に含まれる文字パターンを共用する印刷用紙の全てが排出されていることを条件として解放することは、当業者が必要に応じて容易に想到することができる程度の技術事項と認める。
　また、本件特許発明２による効果も、刊行物１及び２に記載された発明から当業者であれば予測することができる程度のものであって、格別のものとはいえない。
　したがって、本件特許発明２は、刊行物１及び２に記載された発明に基づいて当業者が容易に発明をすることができたものと認める。
　
　【本件特許発明３について】
　刊行物１に記載された上記技術事項１−１〜１−８からみて、刊行物１に記載された発明の「プリント・フォーマットやプリント資源がロードするためのプログラムを格納したシステム・ディスク５３が配置されているエレクトリック・サブ・システム５１」、「スタッカ３３１，３３２」及び「スタッカ収納時機個別検出手段が用紙の収納を検出した時点で該当するページについてそれよりも前に搬送路上に送り出された用紙が対応するスタッカに収納されたことを条件としてそのプリント情報をクリアするプリント情報クリア手段」は、各々本件特許発明３の「印刷すべき印刷情報を記憶する記憶手段」、「印刷済みの印刷用紙を排出する複数のビン」及び「印刷済みの印刷用紙の排出に基づき印刷情報の記憶領域を解放する手段」に相当し、また、刊行物１に記載された「イメージ・アウトプット・ターミナル５２」は、用紙のスタッカへの排出を認識するものであるから、各スタッカには当然用紙の排出を検出する手段（センサ）が設けられており、この検出手段からの情報により用紙を排出したスタッカを認識（判別）し、その結果を記憶するものであるから、本件特許発明３の用語を使用して本件特許発明３と刊行物１に記載された発明とを対比すると、両者は、「印刷すべき印刷情報を記憶する手段及び印刷済みの印刷用紙を排出する複数のビンと印刷情報の記憶領域を解放する手段とを備え、複数の印刷情報源から入力された夫々の印刷情報を、印刷済みの印刷用紙の排出を待たずに次の印刷用紙に印刷を行ない、複数のビンを使用して印刷情報源別に仕分けして排出する場合に用紙詰まりが生じたとき、印刷を一時中断して用紙詰まりの原因を取り除いた後に印刷を再開するリカバリを行なうプリンタ装置において、各ビンへの印刷用紙の排出を検出する用紙排出信号から印刷用紙を排出したビンを判定する判定手段と、複数の印刷用紙に対応させて前記判定手段の判定結果を記憶する複数の用紙状態レジスタと、該用紙状態レジスタの記憶内容に基づいて印刷済みの印刷用紙に対応する印刷情報の記憶領域を解放する制御手段とを備えたプリンタ装置。」で一致しており、下記の点で相違している。
　相違点１；用紙の各ビンへの排出・判定手段として、本件特許発明３では、任意のビンへ排出する印刷用紙が通過する位置に設置されており、印刷用紙の通過を検出して用紙通過信号を出力するセンサと、印刷用紙が前記センサの位置を通過した後、各ビンへ排出されるまでに経過する時間と各ビンとを対応させた時間管理テーブルと、センサが印刷用紙の通過を検出してから経過した時間を計測するタイマと、前記時間管理テーブルに基づき、前記タイマによって計測された時間から印刷用紙がビンへ排出されたか否かを判定する第２用紙排出判定手段を採用しているのに対して、刊行物１に記載された発明では、用紙のスタッカへの排出を検出するための具体的手段については記載されておらず、イメージ・アウトプット・ターミナル５２で用紙のスタッカへの排出を検出するための具体的手段については記載されておらず、イメージ・アウトプット・ターミナル５２で適宜な構成の検出手段から出力される印刷用紙の各スタッカへの排出信号を入力して各スタッカへの印刷用紙の排出を認識（判定）して記憶するものである点。
　相違点２；本件特許発明３では、複数の用紙状態レジスタの記憶内容に基づいて印刷済みの印刷用紙に対応する印刷情報の記憶領域を、該印刷情報に含まれる文字パターンを共用する印刷用紙の全てが排出されていることを条件として解放するものであるのに対して、刊行物１に記載された発明では、印字のためのプリント情報はページ単位毎に記憶されており、該当するページについてのプリント情報の記憶領域をそれよりも前に搬送路上に送り出された用紙が対応するスタッカに収納されたことを条件としてそのプリント情報をクリア（解放）するものである点。
　上記相違点１について検討するに、マルチスタッカを使用したプリンタ装置において、複数の排紙部（各ビン）への排紙を検出するための手段として、プリンタエンジン部が複数の排紙部へ用紙の排紙を完了するまでの時間を監視して、監視時間内に異常がなければ排紙が完了したと認識（判定）する手段（本件特許発明３の上記相違点１に係る構成に相当するもの）を採用しても良いことは、刊行物３（記載事項３−１〜３−４参照）にも記載されているように、本件出願前当業者には知られた事項にすぎないものである。
　そうすると、各ビンへの用紙の排出完了を検出する手段として上記本件出願前当業者に知られた事項を採用して本件特許発明３の上記相違点１に係る構成とすることは、当業者が必要に応じて容易に想到することができる程度の事項と認める。
　次に、上記相違点２は、本件特許発明２の相違点と同じであって、本件特許発明２の相違点として検討したとおりものであるから、本件特許発明３の上記相違点２に係る構成とすることも、当業者が必要に応じて容易に想到することができる程度の事項と認める。
　また、本件特許発明３による効果も、刊行物１〜３に記載された発明から当業者であれば予測することができる程度のものであって、格別のものとはいえない。
　したがって、本件特許発明３は、刊行物１〜３に記載された発明に基づいて当業者が容易に発明をすることができたものと認める。
　
　（４）むすび
　以上のとおりであるから、本件特許発明１〜３は、特許法第２９条第２項の規定により特許を受けることができない。
　したがって、本件特許発明１〜３についての特許は拒絶の査定をしなければならない特許出願に対してされたものと認める。
　よって、平成６年法律第１１６号附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１月７日（２００２．１．７）